(57)【要約】【課題】  表示装置に必要な画像を表示し、これを見ながら通話できる携帯電話機を提供すること。【解決手段】制御部、操作部１２、マイク１３、送受信部等を備えた本体１１と、スピーカ１８、表示部１５等を備え、電話機能と画像表示機能を備えた携帯電話機１０であって、表示部１５が蓋体１４に着脱自在に取り付けられ、且つ無線受信手段（１７等）と蓋体１４から取り外された状態で機能する電池を備え、また蓋体１４には、表示部１５が蓋体１４から取り外された状態で、前記無線受信手段（１７等）を介して表示部１５へ画像情報を送信する無線送信手段（１６等）を備えた。【選択図】        図１
2005229349.tif 000002
【特許請求の範囲】
【請求項１】
制御部、操作部、マイク、送受信部等を備えた本体と、スピーカ、表示部等を備え、電話機能と画像表示機能を備えた携帯電話機であって、表示部が蓋体に着脱自在に取り付けられ、且つ無線受信手段と蓋体から取り外された状態で機能する電池を備え、また蓋体には、表示部が蓋体から取り外された状態で、前記無線受信手段を介して表示部へ画像情報を送信する無線送信手段を備えることを特徴とする表示部が着脱自在な携帯電話機。
【請求項２】
請求項１に記載の携帯電話機であって、表示部が蓋体に取り付けられている状態では、蓋体から表示部へ画像情報を送信するために電気的接続手段を介して接続されていることを特徴とする表示部が着脱自在な携帯電話機。
【請求項３】
請求項２に記載の携帯電話機であって、蓋体から取り外された状態で機能する電池を備えた複数の表示部を備え、各表示部は蓋体に対して個別に着脱自在に取り付けられ、蓋体から各表示部へ画像情報を送信するために電気的接続手段を介して接続されていることを特徴とする表示部が着脱自在な携帯電話機。
【請求項４】
請求項２に記載の携帯電話機であって、表示部を備えた蓋体に蓋体から取り外された状態で機能する電池を備えた第２の表示部が着脱自在に、且つ蓋体の内側または外側に折り畳めるように取り付けられ、また蓋体から第２の表示部へ画像情報を送信するために電気的接続手段を介して接続されていることを特徴とする表示部が着脱自在な携帯電話機。
【請求項５】
請求項４に記載の携帯電話機であって、蓋体が本体から取り外された状態で機能する電池を備えて、本体に着脱自在に取り付けられ、且つ本体から蓋体に画像情報を送信するために電気的接続手段を介して接続されており、本体から取り外された状態で本体からの画像情報を受信して、各表示部へ送信するための無線送受信手段を備え、本体には前記無線送受信手段に画像情報を送信するための無線送信手段を備えることを特徴とする表示部が着脱自在な携帯電話機。
【請求項６】
請求項５に記載の携帯電話機であって、本体から取り外された状態で、蓋体に対する画像情報の送信を本体の前記送受信部を介して行なうと共に、本体側にスピーカを備えたヘッドセットを着脱自在に取り付け、音声を聴取しうるようにしたことを特徴とする表示部が着脱自在な携帯電話機。
【請求項７】
請求項３又は請求項５に記載の携帯電話機であって、表示部に、蓋体から取り外した状態で操作するための操作部を本体の操作部とは別に設けたことを特徴とする表示部が着脱自在な携帯電話機。
【請求項８】
本体から表示画面（または蓋体）を取り外した際、本体から一定距離遠ざかると、アラームやバイブレーション機能、ライトの点滅等の手段で遠ざかったことを知らせる携帯電話機。
【請求項９】
請求項１に記載の携帯電話機であって、通話と同時に、電子メールの作成、送受信が可能な携帯電話機。
【発明の詳細な説明】
【技術分野】
【０００１】
本発明は、表示部が本体から着脱可能な携帯電話機に関する。
【背景技術】
【０００２】
携帯電話機は、制御部、操作部、マイク、スピーカ等を備えた携帯電話機本体による電話機能と共に、表示装置により通信中の相手から送信（メール）されたきた画像等の情報を表示し、或いは登録されている好みの壁紙（例えば、飼っているペットの画像）等を表示する機能を備えている。
ところで最近の携帯電話機はますます小型化されており、そのため操作部による操作性が悪くなっている。
そこで操作部を携帯電話機に着脱自在に設けておき、操作の際にこの操作部を取り外して操作できるようにして、操作性を向上するようにした携帯電話機が提案されている（例えば、特許文献１参照）。
【０００３】
【特許文献１】特開２００１−３６６１９号公報
【発明の開示】
【発明が解決しようとする課題】
【０００４】
このように前記特許文献１は携帯電話機の操作性の問題を解決したものである。
ところで携帯電話機で通話中に表示装置の画像を見たい場合があるが、携帯電話機は構造上通話相手と通話しながら表示装置の画像を見ることはできない。
このため、表示装置に相手から送信（メール）されてきた画像或いは登録してある好みの壁紙を表示し、これを見ながら通話することはできない。また登録してあるメモ帳、スケジュール表等を表示し、その内容を確認しながら通話することもできないし、自分の顔とか風景を写し、その内容を共有しながら通話することもできない。
【０００５】
本発明は、上記のような点に鑑み、表示装置に必要な画像を表示し、これを見ながら通話できる携帯電話機を提供することを目的とする。
【課題を解決するための手段】
【０００６】
上記目的を達成するために、本発明の表示部が着脱自在な携帯電話機は、制御部、操作部１２、マイク１３、送受信部等を備えた本体１１と、スピーカ１８、表示部１５等を備え、電話機能と画像表示機能を備えた携帯電話機１０であって、表示部１５が蓋体１４に着脱自在に取り付けられ、且つ無線受信手段（１７等）と蓋体１４から取り外された状態で機能する電池を備え、また蓋体１４には、表示部１５が蓋体１４から取り外された状態で、前記無線受信手段（１７等）を介して表示部１５へ画像情報を送信する無線送信手段（１６等）を備えたことを特徴とする。
【０００７】
また前記の携帯電話機において、表示部１５が蓋体１４に取り付けられている状態では、蓋体１４から表示部１５へ画像情報を送信するために電気的接続手段２０，２１を介して接続されていることを特徴とする。
【０００８】
また前記の携帯電話機において、蓋体から取り外された状態で機能する電池を備えた複数の表示部１５−１，１５−２を備え、各表示部は蓋体１４に対して個別に着脱自在に取り付けられ、蓋体１４から各表示部へ画像情報を送信するために電気的接続手段を介して接続されていることを特徴とする。
【０００９】
さらに前記の携帯電話機において、表示部１５−１を備えた蓋体１４に蓋体から取り外された状態で機能する電池を備えた第２の表示部１５−２が着脱自在に、且つ蓋体１４の内側に折り畳めるように取り付けられ、また蓋体１４から第２の表示部１５−２へ画像情報を送信するために電気的接続手段２０−２，２１−２を介して接続されていることを特徴とする。
【００１０】
さらに上記の携帯電話機において、蓋体１４が本体１１から取り外された状態で機能する電池を備えて、本体１１に着脱自在に取り付けられ、且つ本体１１から蓋体１４の表示部へ画像情報を送信するために電気的接続手段を介して接続されており、本体１１から取り外された状態で本体１１からの画像情報を受信して、各表示部１５−１，１５−２へ送信するための無線送受信手段（１７−１等）を備え、本体１１には前記無線送受信手段（１７−１等）に画像情報を送信するための無線送信手段（１６等）を備えることを特徴とする。
【００１１】
さらにまた上記の携帯電話機において、本体１１から取り外された状態で、蓋体１４に対する画像情報の送信を本体１１の前記送受信部を介して行なうと共に、本体側にスピーカ１８を備えたヘッドセット２２を着脱自在に取り付け、音声を聴取しうるようにしたことを特徴とする。
【００１２】
さらにまた上記の携帯電話機において、表示部に、蓋体１４から取り外した状態で操作するための操作部７を本体１１の操作部１２とは別に設けたことを特徴とする。
【発明の効果】
【００１３】
本発明によれば、携帯電話機本体に表示装置を着脱自在に設けたことにより、相手から送信（メール）されてきた画像或いは登録してある好みの壁紙を表示し、これを見ながら通話することができ、また登録してあるメモ帳、スケジュール表等を表示し、その内容を確認しながら通話することもできるし、自分の顔とか風景を写し、その内容を共有しながら通話することもできる。
【発明を実施するための最良の形態】
【００１４】
本発明を実施するための最良の形態を実施例に基づき図面を参照して説明する。
【実施例１】
【００１５】
図１は本発明の実施例１の表示部（表示装置）が蓋体の上方から矢印方向へ取り外された状態の携帯電話機の外観を概略的に示したものである。
この携帯電話機１０は、操作部１２、マイク１３、図示しない制御部、内蔵電池等を備えた本体１１及び表示部１５、スピーカ１８等を備えた蓋体１４から成り、連結部１９の部分で蓋体１４を内側に折り畳めることができる構造になっている。本体１１には外部と通信するための送受信部が設けられている。
以上の構造自体は従来の携帯電話機の構造と変わらない。
【００１６】
本発明では、本発明の目的に適うように表示部１５が蓋体１４に着脱自在に設けられている。
この表示部１５は蓋体１４と合体時には図示しない通常のロック機構によりロックされており、且つ表示部１５の接続端子２１が蓋体１４の接続端子２０に結合されていて、不用意に蓋体１４から外れることはなく、表示部１５への画像情報は接続端子２０，２１を介して送信される。
なお表示部１５には画像情報の受信及び表示のための電源としての電池を設けておく必要があるが、これは以下で説明する各実施例の場合にも本体１１に着脱自在に取り付けられた蓋体及び表示部に同様に必要なものである。
【００１７】
表示部１５を蓋体１４から取り外し易くするために、表示部１５の下端部を蓋体１４に対して若干回動できるように取り付けておくことにより、ロック機構を操作してロックを外し、下方から表示部１５の上端部を若干押し上げることができる。
そこで表示部１５の上端部が若干浮き上がるので、指で表示部１５の上端部をつまんで上方へ引き抜くことにより、表示部１５の接続端子２１が蓋体１４の接続端子２０から外れて、図示されるように蓋体１４から取り外すことができ、これにより表示部１５を見ながら通話することができる。
【００１８】
この場合、蓋体１４からの画像情報は蓋体１４のアンテナ１６を含む図示しない送信部から送信（伝送）されるようになり、表示部１５のアンテナ１７を含む受信部により受信されて、表示部１５に表示される。
このように表示部１５は蓋体１４と上記のような無線通信手段により無線で接続されているので、表示部１５には必要な画像が送信（伝送）され、表示することができる。
なお蓋体１４に設けたアンテナ１６を含む送信部は、図１の点線で示すように本体１１側に設けてもよい。この場合これに代えて本体１１側に設けられている送受信部により画像情報を無線伝送（送信）するようにしても良く、これらのことは以下の実施例においても適宜適用される。
【００１９】
蓋体１４に表示部１５を取り付ける場合には、表示部１５の下端部の接続端子２１を蓋体１４の接続端子２０に結合するように押し込み、表示部１５の上端部を蓋体１４の面に一致するように押し下げることにより、ロック機構によりロックされて蓋体１４と表示部１５が合体される。
以後画像情報は、蓋体１４の接続端子２０と表示部１５の接続端子２１を介して表示部１５に送信される。
【００２０】
図２は実施例１において表示部１５が蓋体１４から取り外された状態において、蓋体１４からの画像を表示部１５へ無線通信手段により送信するための構成を示したブロック図である。
図において、本体１１と表示部１５が取り外された蓋体１４側は、携帯電話通話部１、表示部１５の表示制御部２、電源部３、外部との送受信用アンテナ４、無線送信部５、表示部１５側への送信アンテナ１６を備え、表示部１５側は、記憶部９、無線受信部６、表示部１５、電源部８を備え、蓋体１４側からの画像情報は無線通信手段（５，１６，１７，６）を介して表示部１５側へ送信されて、表示部１５に表示される。
【００２１】
表示部１５側には本体１１の操作部１２とは別に、操作部７を備えることができ、この場合は操作部７からの操作信号を表示部側から本体・蓋体側へ送信するために、上記の無線電送送信部５、無線受信部６を、送受信機能を備えたものとする必要がある。
このような無線通信手段による画像情報の送信方法は以下の実施例においても適宜適用される。なお蓋体１４が本体１１から取り外される実施例の場合には、表示部を備えた蓋体１４にも操作機能（部）を設けることができる。
【実施例２】
【００２２】
図３は本発明の実施例２の表示部が蓋体の右側方から矢印方向へ取り外された状態の携帯電話機の外観を概略的に示したものである。
表示部１５が蓋体１４に一体に合体されロックされている状態で、ロック機構を操作してロックを外し、右方向へ引き抜くことにより、表示部１５の接続端子２１が蓋体１４の接続端子２０から外れ、取り外すことができる。
再び表示部１５を蓋体１４に合体する場合には、表示部１５を右方向から蓋体１４に差込み、接続端子２１を蓋体１４の接続端子２０に押し込んで結合すればよく、表示部１５は蓋体１４に合体されてロックされる。
その他は実施例１の場合と同じである。
【実施例３】
【００２３】
図４は本発明の実施例３の表示部が蓋体の上方から矢印方向へ取り外された状態の携帯電話機の外観を概略的に示したものであり、その他は実施例２の場合と同じである。
【実施例４】
【００２４】
図５は本発明の実施例４の表示部が蓋体の上方から矢印方向へ取り外される構造の携帯電話機の外観を概略的に示したものである。
実施例４の場合、蓋体１４には上下二層に下表示部１５−１と上表示部１５−２が設けられており、両表示部はそれぞれ蓋体１４にロック機構により保持されている。
また各表示部が取り外された状態での各表示部１５−１，１５−２への画像情報は、蓋体１４のアンテナ１６と各表示部のアンテナ１７−１，１７−２を介して無線通信手段により送信される。
その他は実施例２の場合と同じである。
【００２５】
そして各表示部を蓋体１４から取り外すには、先ず上表示部１５−２のロック機構のロックを外して図５（ａ）のように矢印方向に引き抜くと、接続端子２１−２が蓋体１４の接続端子２０−２から外れて取り外すことができ、この状態では下表示部１５−１は蓋体１４に残ったままである。
そして必要に応じて下表示部１５−１も取り外したい場合は、下表示部１５−１のロック機構のロックを外して図５（ｂ）のように矢印方向に引き抜くと、接続端子２１−１が蓋体１４の接続端子２０−１から外れて取り外すことができ、両表示部には無線通信手段により異なる画像を送信し、表示することができる。
【実施例５】
【００２６】
図６は本発明の実施例５の携帯電話機の外観を概略的に示したものである。
実施例５の場合、表示部として、実施例４の場合と同様に、下表示部１５−１と上表示部１５−２を備えた携帯電話機であるが、下表示部１５−１は蓋体１４に一体に設けられており、上表示部１５−２を上連結部１９−２により蓋体１４側へ折り畳むことができる構造になっている。
この場合本体１１にはアンテナ１６を含む画像情報送信部が設けられ、蓋体１４と上表示部１５−２にはそれぞれアンテナ１７−１又は１７−２を含む画像情報受信部が設けられている。
その他は実施例１の場合と同じである。
【００２７】
図７は実施例５の上表示部１５−２を取り外した状態の携帯電話機の外観を概略的に示したものである。
この場合上表示部１５−２の蓋体１４からの取り外しには、上表示部１５−２を上連結部１９−２との結合から解くことにより行なわれる。この際同時に接続端子２１−２が蓋体１４の接続端子２０−２から外れて、画像情報の送信は本体１１のアンテナ１６と上表示部１５−２のアンテナ１７−２を介して無線通信手段により行なわれる。
この状態では下表示部１５−１は蓋体１４に残ったままであるが、取り外した上表示部１５−２に見たい画像を表示しながら通話することができる。
【００２８】
図８は実施例５において、本体１１から蓋体１４を取り外した状態を示したものである。
これは上表示部１５−２と一体のままの蓋体１４を下連結部１９−１との結合から解くことにより、取り外すことができる。
この場合画像情報の送信は、本体１１のアンテナ１６（図５参照）と下表示部１５−１と上表示部１５−の各アンテナ１７−１，１７−２を介して無線通信手段により行なわれ、両表示体に異なる画像を表示しながら通話することができるが、蓋体１４に設けられたスピーカ１８が本体１１から離れてしまうので、本体側にスピーカを設けておく必要がある。
このためには例えば図１４のように、下連結部１９−１の左側に先端にスピーカ１８を有するヘッドセット２２を着脱自在に且つスピーカ回路に接続するように取り付けることで対応できる。
【００２９】
図９は図８の状態で、さらに下表示部１５−１から上表示部１５−２を取り外した状態を示したものであり、上表示部１５−２を上連結部１９−２との結合から解くことにより、取り外すことができる。その他については前述したものと同様である。
【実施例６】
【００３０】
図１０は本発明の実施例６の携帯電話機の外観を概略的に示したものである。
実施例６の場合、表示部として、左表示部１５−１（蓋体１４と一体）と右表示部１５−２の二つの表示部を備えた携帯電話機であるが、右表示部１５−２は右連結部１９−２により蓋体１４側へ折り畳むことができる構造になっている。
その他は実施例５の場合と同じである。
【００３１】
図１１は実施例６において、蓋体１４から右表示部１５−２を取り外した状態を示したものである。
この場合右表示部１５−２を右連結部１９−２との結合から解き、接続端子２１−２を右連結部１９−２の接続端子２０−２から外れるように、矢印方向へ引き抜くことにより取り外すことができ、画像情報の送信は本体１１のアンテナ１６と右表示部１５−２のアンテナ１７−２を介して無線通信手段により行なわれることは前述したことと同じである。
この状態では左表示部１５−１は蓋体１４側に残ったままであるが、取り外した右表示部１５−２に見たい画像を表示しながら通話することができる。
【００３２】
図１２は実施例６を示す図１０において、本体１１から両表示部を一体のまま取り外した状態を示したものであり、蓋体１４を下連結部１９−１との結合から解くことにより、取り外すことができる。
この場合左表示部１５−１と右表示部１５−２に異なる画像を表示しながら通話することができるが、そのために、図８の場合と同様に本体側にスピーカを設けておく必要があり、例えば図１４のように、下連結部１９−１の左側に先端にスピーカ１８を有するヘッドセット２２着脱自在に且つスピーカ回路に接続するように取り付けることで対応できる。
【００３３】
図１３は図１２の状態で、さらに蓋体１４から右表示部１５−２を取り外した状態を示したものであり、右表示部１５−２を右連結部１９−２とのロック状態を解き、接続端子２１−２を右連結部１９−２の接続端子２０−２から外すように矢印方向に引き抜くことにより、取り外すことができる。
【００３４】
図１４は本体にヘッドセットを設けた携帯電話機の外観を概略的に示したものである。
実施例５（図６）及び実施例６（図１０）の携帯電話機において、本体１１からスピーカ１８を備えた蓋体１４を取り外した状態では本体側にスピーカ１８が残らないことになって、通話ができなくなる。
そこで図のように下連結部１９−１の左側に先端にスピーカ１８を有するヘッドセット２２を着脱自在に且つスピーカ回路に接続するように取り付けることにより、このスピーカ１８と本体１１に設けられているマイク１３を利用して、取り外した表示部に画像を表示し、これを見ながら通話することが可能になる。
【００３５】
なお上記の各実施例において、前述したように（図２参照）本体１１又は蓋体１４から取り外される表示部に、本体１１又は蓋体１４から取り外した状態で表示部を操作するための操作部７を本体１１の操作部１２とは別に設けることができる。
これにより表示部を本体又は蓋体から取り外した状態で、操作をすることが可能となる。
【図面の簡単な説明】
【００３６】
【図１】実施例１の表示部が蓋体から取り外された状態の携帯電話機の外観図。
【図２】画像情報を無線通信手段により送信するための構成を示すブロック図。
【図３】実施例２の表示部が蓋体から取り外された状態の携帯電話機の外観図。
【図４】実施例３の表示部が蓋体から取り外された状態の携帯電話機の外観図。
【図５】実施例４の表示部が蓋体から取り外された状態の携帯電話機の外観図。
【図６】実施例５の二つの表示部を備えた携帯電話機の外観図。
【図７】実施例５の上表示部が蓋体から取り外された状態の携帯電話機の外観図。
【図８】実施例５の両表示部が本体から取り外された状態の携帯電話機の外観図。
【図９】実施例５の両表示部が本体から別々に取り外された状態の携帯電話機の外観図。
【図１０】実施例６の二つの表示部を備えた携帯電話機の外観図。
【図１１】実施例６の右表示部が蓋体から取り外された状態の携帯電話機の外観図。
【図１２】実施例６の両表示部が本体から取り外された状態の携帯電話機の外観図。
【図１３】実施例６の両表示部が本体から別々に取り外された状態の携帯電話機の外観図。
【図１４】本体にヘッドセットを取り付けた状態の携帯電話機の外観図。
【符号の説明】
【００３７】
１０  携帯電話機
１１  本体
１２  操作部
１３  マイク
１４  蓋体
１５  表示部
１６  アンテナ
１７  アンテナ
１８  スピーカ
１９  連結部
２０  接続端子
２１  接続端子
２２  ヘッドセット
【図１】
2005229349.tif 000003
【図２】
2005229349.tif 000004
【図３】
2005229349.tif 000005
【図４】
2005229349.tif 000006
【図５】
2005229349.tif 000007
【図６】
2005229349.tif 000008
【図７】
2005229349.tif 000009
【図８】
2005229349.tif 000010
【図９】
2005229349.tif 000011
【図１０】
2005229349.tif 000012
【図１１】
2005229349.tif 000013
【図１２】
2005229349.tif 000014
【図１３】
2005229349.tif 000015
【図１４】
2005229349.tif 000016